(57)【要約】【課題】  本発明は、容易に使用者個人に合わせた構成とすることができるインソールを提供すること。【解決手段】本発明のインソール１では、足の裏Ｂに配置される足の裏支持部材２と、この足の裏支持部材２より硬い材料により形成され足の裏支持部材２の踵部Ｈ下に固定された基板３と、この基板３の下部に配置される踵支持部材４と、基板３と踵支持部材４とを着脱可能に固定する連結部５とを備えた。このため、足の裏Ｂは、比較的柔らかい足の裏支持部材２によりしっかりと密着するように支持される。一方、足の裏支持部材２の下面は、足の裏支持部材２よりも硬い基板３が配置されるため、柔らかい足の裏支持部材２の形状を保持することができる。【選択図】図１
2020130865.tif 000002
【特許請求の範囲】
【請求項１】
足の裏に配置される足の裏支持部材と、
当該足の裏支持部材より硬い材料により形成され前記足の裏支持部材の踵部下に固定された基板と、
当該基板の下部に配置される踵支持部材と、
前記基板と前記踵支持部材とを着脱可能に固定する連結部と
を備えたインソール。
【請求項２】
前記基板は、前記足の裏支持部材に沿って踵部から趾部まで延びるように設けられるとともに、踏み付け部が、踵部より容易に屈曲するように構成されたことを特徴とする請求項１に記載のインソール。
【請求項３】
前記連結部が、前記基板と前記踵支持部材との連結位置を変位可能に構成されたことを特徴とする請求項１又は２に記載のインソール。
【請求項４】
前記連結部は、前記基板と前記踵支持部材との連結位置を変位可能なスライド機構を備えたことを特徴とする請求項３に記載のインソール。
【請求項５】
前記足の裏支持部材は、アクリル系、ゴム系、シリコーン系、ウレタン系を含む樹脂から選択され、
前記足の裏支持部材は、足の裏部へ粘着して固定することを特徴とする請求項１〜４のいずれか一項に記載のインソール。
【請求項６】
前記足の裏支持部材は洗浄により粘着力が回復することを特徴とする請求項５に記載のインソール。
【請求項７】
前記足の裏支持部材は、足の裏部の側縁部を下方から包み込む足の裏側縁部支持部材を備えたことを特徴とする請求項１〜６のいずれか一項に記載のインソール。
【請求項８】
前記足の裏支持部材は、趾を固定する趾支持部材を備えたことを特徴とする請求項１〜６のいずれか一項に記載のインソール。
【請求項９】
前記足の裏支持部材は、足の甲を固定する足の甲支持部材を備えたことを特徴とする請求項１〜６のいずれか一項に記載のインソール。
【請求項１０】
前記足の裏支持部材は、足首を固定する足首支持部材を備えたことを特徴とする請求項１〜６のいずれか一項に記載のインソール。
【請求項１１】
前記足の裏支持部材は、爪先部を包み込む爪先支持部を備えたことを特徴とする請求項１〜６のいずれか一項に記載のインソール。
【請求項１２】
前記踵支持部材は、前記足の裏支持部材より硬い材料から構成された樹脂からなる請求項１〜１１のいずれか一項に記載のインソール。
【請求項１３】
前記踵支持部材は、中空の筒状に形成された請求項１〜１１のいずれか一項に記載のインソール。
【請求項１４】
前記踵支持部材は、ばねからなる請求項１〜１１のいずれか一項に記載のインソール。
【請求項１５】
前記踵支持部材は、気体、液体、若しくはゾルを封入した袋からなる請求項１〜１１のいずれか一項に記載のインソール。
【請求項１６】
前記踵支持部材の位置を安定させるカバーを備えたことを特徴とする請求項１〜１５のいずれか一項に記載のインソール。
【発明の詳細な説明】
【技術分野】
【０００１】
本発明は、靴の内部において使用するインソールに係り、詳しくは身長を調節する目的のインソールに関する。
【背景技術】
【０００２】
従来、医療用の目的や美容の目的で身長を高くするために靴の内部において踵部分をかさ上げするようなものがあった。
例えば、特許文献１に示すような中敷の踵部を充填部の厚肉部により高くしたような踵部を高くした靴の中敷きのようなものが提案されている。
【０００３】
また、特許文献２に示すようなゴム等のクッション材で出来た靴下用踵部中敷１の上部を踵の丸みに合わせ、下部を踵に似せて丸みを持たせて、使用時に靴下内部の踵部と足踵の間に装着して、その上から靴下２を履くような靴下用踵部中敷のようなものが提案されている。
【０００４】
さらに特許文献３に示すような数枚に分割した中敷を重ねて靴の中に入れることで、必要に応じて中敷の厚さを調節することができると共に、１足の靴で数段階の高さに身長を高く見せ中敷のようなものも提案されている。
【０００５】
このような中敷であれば、見えない靴の内部で、身長を高くすることができる。
【先行技術文献】
【特許文献】
【０００６】
【特許文献１】実用新案登録第３０８１３２５号公報
【特許文献２】特開平１０−６６６０６号公報
【特許文献３】特開２００３−１６４３０３号公報
【発明の概要】
【発明が解決しようとする課題】
【０００７】
しかしながら、足の裏の形状は個人差があるとともに、必要な踵の高さや、履く靴によってインソールに求められる構成が異なる。特許文献１に記載の発明では、全体を取り替えないと踵の高さや形状を変えることができないという問題があった。また、特許文献２に記載の発明では、踵に直接テーピングをするなどして固定して靴下を装着するが、装着が煩雑で安定性にも欠けるという問題があった。特許文献３に記載の発明では、踵の高さを変えることができ、比較的安定するが、靴に合わせて形状を変更することはできず、特に手術後の下肢短縮などで脚長の不等が大きい場合は安定が悪い。また、歩きやすい踵の位置は、靴の形状による差や、身体的な個人差や、同一人でも左右の足は対称とは限らず、さらに、例えばスポーツやドレスアップなど目的によっても異なるという問題があった。
【０００８】
本発明は、容易に使用者個人に合わせた構成とすることができるインソールを提供することにある。
【課題を解決するための手段】
【０００９】
上記課題を解決するため、本発明のインソールでは、足の裏に配置される足の裏支持部材と、当該足の裏支持部材より硬い材料により形成され前記足の裏支持部材の踵部下に固定された基板を備える。さらに基板の下部に配置される踵支持部材と、この基板と踵支持部材とを着脱可能に固定する連結部とを備えた。ここでいう「硬い」とは、基本的にはヤング率により判断する。また、連結部は、螺合や嵌合など物理的な係合のほか、粘着や面ファスナなどにより着脱可能に連結される。
【００１０】
また、基板は、前記足の裏支持部材に沿って少なくとも踵部、さらに踵部から趾部まで延びるように設けられるとともに、踏み付け部が、踵部より容易に屈曲するように構成されることも好ましい。
【００１１】
また、連結部が、基板と踵支持部材との連結位置を変位可能に構成されることも好ましい。さらに基板と踵支持部材との連結位置を変位可能なスライド機構を備えることも好ましい。
【００１２】
また、足の裏支持部材は、アクリル系、ゴム系、シリコーン系、ウレタン系を含む樹脂から選択され、前記足の裏支持部材は、足の裏部へ粘着して固定することも好ましい。この場合、足の裏支持部材は洗浄により粘着力が回復することが好ましい。
【００１３】
足の裏支持部材は、足の裏部の側縁部を下方から包み込む足の裏側縁部支持部材を備えたり、趾を固定する趾支持部材を備えたり、趾の間を支持する趾間支持部材、足の甲を固定する足の甲支持部材を備えたり、足首部を固定する足首支持部材を備えたり、爪先部を包み込む爪先支持部材を備えることも好ましい。
【００１４】
また、踵支持部材は、足の裏支持部材より硬い樹脂材料から構成されたもの、中空の筒状に形成されたもの、板ばねやコイルばねなどのばねからなるもの、気体・液体・ゾルを封入した袋からなるものとすることができる。
【００１５】
また、前記踵支持部材の位置を安定させるカバーを備えることも好ましい。
【発明の効果】
【００１６】
本発明のインソールによれば、容易に使用者個人に合わせた構成とすることができる。
【図面の簡単な説明】
【００１７】
【図１】（ａ）は、ハイヒールシューズ内でのインソールの使用時を示す模式図、（ｂ）は、ローヒールシューズ内でのインソールの使用時を示す模式図。
【図２】（ａ）はインソールの分解斜視図、（ｂ）は、インソールの側面図、（ｃ）は、別の実施例を示す分解斜視図、（ｄ）は、足と、足の各部分の名称を示す図。
【図３】足の裏支持部材の別例を示す図。
【図４】（ａ）、（ｂ）足の裏支持部材の別例を示す図。
【図５】足の裏支持部材の別例を示す図。
【図６】足の裏支持部材の別例を示す図。
【図７】（ａ）足の裏支持部材の別例を示す斜視図と、（ｂ）端面図。
【図８】（ａ）足の裏支持部材と基板との固定方法の一例を示す断面図、（ｂ）別例を示す断面図。
【図９】（ａ）連結部の一例を示す模式図、（ｂ）別例を示す模式図。
【図１０】（ａ）連結部の別例を示す分解斜視図、（ｂ）連結部の別例を示す分解正面図、（ｃ）連結部の作用を示す模式図。
【図１１】踵支持部材の一例を示す模式図。
【図１２】踵支持部材の別例を示す模式図。
【図１３】（ａ）踵支持部材の別例を示す模式図、（ｂ）踵支持部材の他の別例を示す模式図。
【図１４】踵支持部材の別例を示す模式図。
【図１５】（ａ）カバーの一例を示す断面図、（ｂ）別例を示す側面図。
【発明を実施するための形態】
【００１８】
（第１の実施形態）
以下、本発明を具体化したインソールの実施形態を図１〜図１５を参照して説明する。
図１（ａ）は、ハイヒールシューズ内でのインソール１の使用時の断面を示す模式図である。（ｂ）は、インソール１の使用時の断面を示す模式図である。図２（ａ）は、ローヒールシューズ内でのインソール１の分解斜視図である。図２（ｂ）は、インソール１の側面図である。図２（ｄ）は、足Ａと、足Ａの各部分の名称を示す図である。
【００１９】
前提としてインソール１の使用者の前側を「前」と、背面側を「後」とする。また、図２（ｄ）に示すように足Ａの各部の名称は解剖学的名称における「足底」を、通称である「足の裏Ｂ」といい、同様に「足背」を「足の甲Ｃ」という。また、足の裏Ｂにおいて、「足の指」の部分を「趾部Ｅ」、また親指から小指を、それぞれ「第一趾Ｅ１〜第五趾Ｅ５」という。そして、趾骨と中足骨との関節近傍の「前足部」を「踏み付け部Ｆ」といい、いわゆる土踏まずを含む中間部である「中足部」を「踏まず部Ｇ」という。また、「後足部」を「踵部Ｈ」という。そして「足根」を「足首Ｉ」という。
【００２０】
＜基本構成＞
図１に示すように、本発明のインソール１は、靴Ｓ内に配置され、足の裏Ｂに配置される足の裏支持部材２と、足の裏支持部材２より硬い材料により形成され、足の裏支持部材２の踵部Ｈ下に固定された基板３と、基板３の下部に配置される踵支持部材４と、基板３と踵支持部材４とを着脱可能に固定する連結部５とから構成される。
【００２１】
ここで、「インソール」とは、本来的に靴Ｓの内部に配置される中敷きであるが、本発明においては、靴Ｓを脱いだ状態で足の裏Ｂに密着して歩行が可能であるような態様も含まれる。
【００２２】
足の裏支持部材２は、足の裏Ｂ全体を支持するものに限定されず、足の裏Ｂの踵部Ｈが足の裏支持部材２に安定して支持される限り、例えば、趾部Ｅを省略したり、さらに踏み付け部Ｆを省略したりしたような態様でもよい。
【００２３】
本発明の基本的な作用は、足の裏Ｂを支持する柔らかい足の裏支持部材２に、それより硬い基板３が固定される。ここで、「硬い」とは、基本的にはヤング率により判断する。具体的には、例えば、樹脂の場合でいうと、ＪＩＳ規格であるＪＩＳＫ６２５３に準拠したタイプＥデュロメータで測定して、タイプＥの硬度が大きいことをいう。
【００２４】
このような構成を有するため、足の裏支持部材２が足の裏を柔軟にしっかりと支持する。
また、本発明の基板３は柔軟な足の裏支持部材２よりも硬い材料から形成されているため、足の裏支持部材２の形状が維持される。それと同時に連結部５を介して踵支持部材４と強固に連結される。
【００２５】
したがって、使用者は、足の裏を柔らかく受け止められるとともに、足の裏支持部材２の形状が崩れず、かつ、連結部５においてしっかりと基板３に固定された踵支持部材４によりしっかりと踵部Ｈが支えられ、安定した歩行をすることができる。
【００２６】
＜足の裏支持部材＞
＜実施例１＞
図２（ａ）に示す足の裏支持部材２は、基本的に柔軟な樹脂から選択される材料から形成される。
【００２７】
足の裏支持部材２を構成する樹脂としては、具体的にはウレタンゴム、スチレン系エラストマー、アクリル系エラストマー、オレフィン系エラストマー、シリコーン、ウレタンなどや、これらの配合物が挙げられるが、これに限定されるものではない。望ましくは、体温により軟化して形状を記憶する低反発弾性の軟質ウレタンフォームも好ましい。形状記憶の軟質ウレタンフォームであれば、足裏の形状に密着させた形状を記憶することができるため、一度使用すれば、次回から使用者個人の足の裏に合わせた形状とすることができる。
【００２８】
なお、本発明では基板３により形状が保たれると同時に、基板３を介して踵支持部材４と強固に連結されるため、足の裏支持部材２は柔軟な材料を用いることが可能になっており、足の裏Ｂに密着して、かつ形が崩れないで安定的に支持できる。
【００２９】
この足の裏支持部材２は、足の裏Ｂへ粘着して固定することができる。
＜粘着剤＞
粘着のためには、例えば感圧粘着剤ＰＳＡ（Pressure Sensitive Adhesive）が用いられる。感圧粘着剤ＰＳＡは、足の裏Ｂに掛かる体重により、足の裏Ｂが足の裏支持部材２に密着されて高い粘着力で粘着するため強固に固定され、歩行時には容易に剥離することはない。一方、ゆっくり引き剥がせば、感圧粘着剤ＰＳＡの凝集力により、感圧粘着剤ＰＳＡが凝集することで、足の裏Ｂに感圧粘着剤ＰＳＡが残留することがない。
【００３０】
感圧粘着剤ＰＳＡとしては、アクリル系、ゴム系、シリコーン系、ウレタン系が挙げられるが、足の裏支持部材２を構成する樹脂との適合性や、肌への適合性により選択される。
【００３１】
具体的には、例えば、スリーエムジャパン株式会社ヘルスケアカンパニー製の皮膚貼着用の３Ｍ両面粘着テープ＃１５２４は、アクリル系粘着剤で、基材がなくポリエステルファイバを含有した柔軟性・追従性の高い転写テープである。また、ポリエチレンフィルムを基材として、両面にアクリル系粘着剤を塗布した粘着性の高い＃１５２２Ｈなども好適に適用できるが、これらに限定されるものではない。
【００３２】
＜実施例２＞
この実施例では足の裏支持部材２自体で粘着するような構成となっている。本実施例では、例えば、株式会社タナック製の高粘着のスチレン系エラストマーであるクリスタルゲル（登録商標）品名ＣＲＧ−Ｔ１５０２により足の裏支持部材２を構成している。このクリスタルゲルは、ＪＩＳ規格であるＪＩＳＫ６２５３のタイプＥで硬度５〜２５のものを用いている。この場合は、足の裏支持部材２自体が高粘着であるので、別途表面に感圧粘着剤を塗布する必要はなく、足の裏支持部材２自体で粘着する。本発明は、このような態様でもよい。
【００３３】
この足の裏支持部材２は洗浄により粘着力が回復する。感圧粘着剤は、汗や皮脂の汚損等で粘着力が低下するが、水洗等により表面を洗浄すれば表面の埃や皮脂などを除去することで、粘着力が回復するものが望ましい。このような材料であれば水洗等することで足の裏支持部材の埃や皮脂などが除去され、繰り返しいつまでも安定して足の裏を固定することができる。なお、実施例１においても感圧粘着剤ＰＳＡを同様に水に不溶なものを用い、このような性質を付与することも望ましい。
【００３４】
＜足の裏支持部材の形状＞
図３〜７において、足の裏支持部材２の変形例を示す。図３〜７においては、踵支持部材４等の図示は省略している。足の裏支持部材２は、図２（ａ）に示すような、足の裏Ｂの輪郭に合わせた平板状の構成が基本的な構成である。
【００３５】
さらに、足の裏Ｂの足の裏支持部材２への安定性を高めるため、以下に示すような形状とすることも好ましい。
＜実施例３＞
図３に示すように、足の裏Ｂの輪郭に合わせた平板状の構成に、その周端部を上方に立ち上げて立上部２１を形成し、全体的に足の裏Ｂを包み込むように舟状の形状とした足の裏支持部材２とした。
【００３６】
このような、構成であると、足の裏支持部材２に対する足の裏Ｂの水平位置の移動を規制することができ、踵部Ｈの高さが高くなっても、足の裏支持部材２に対して足の裏Ｂがずれにくくなり、爪先などが靴に当たりにくくなる。
【００３７】
＜実施例４＞
図４（ａ）に示すように、足の裏支持部材２は、第一趾Ｅ１を固定する環状の趾支持部材２２を備えた。第一趾Ｅ１を挿入する環状のリングを設け、足の裏Ｂが、足の裏支持部材２に対して、前側にずれることを抑制する。図示を省略するが第一趾Ｅ１に限らず、第四趾Ｅ２〜第五趾Ｅ５のいずれかを固定するリングを設けるような構成でもよい。
【００３８】
＜実施例５＞
また、図４（ｂ）に示すように、拇指と第二趾の趾間に底部から突出してその趾間を支持する趾間支持部材２３としてもよい。このような構成のため足の裏Ｂを足の裏支持部材２に対してずれないように固定することができる。
【００３９】
また、図示を省略するが、第二趾Ｅ２〜第五趾Ｅ５のいずれかの趾間に設けるような趾間支持部材２３としてもよい。
＜実施例６＞
図５に示すように、足の裏支持部材２は、足の甲Ｃを固定する足の甲支持部材２４を備えたものとすることができる。具体的には足の甲Ｃにベルト状の足の甲支持部材２４を設けたシャワーサンダル様のものが挙げられる。また、図示しないが足の甲支持部材２４は鼻緒状の部材とすることもできる。
【００４０】
このような足の甲支持部材２４によれば、足の裏Ｂを足の裏支持部材２にずれないように固定することができる。
＜実施例７＞
図６に示すように、足の裏支持部材２は、足首Ｉを固定する足首支持部材２５を備える。足首支持部材２５、例えば足の裏支持部材２から足首Ｉに巻き付けるストラップ状の部材を設ける。足の裏支持部材２と一体に設けてもよいし、伸縮の少ない別の材料により構成して、足の裏支持部材２の側部に固定して、バックルや面ファスナなどで調節してしっかりと固定して支持するようなものでもよい。
【００４１】
このような構成のため、足の裏Ｂを足の裏支持部材２にずれないように固定することができる。
＜実施例８＞
図７（ａ）、（ｂ）に示すように、足の裏支持部材２は、爪先Ｄを包み込む爪先支持部材２６を備える。爪先支持部材２６、例えば足の裏支持部材２と一体設けられた爪先部を包み込む爪先支持部材２６とすることができる。この部分は、体重が掛かっても痛みがないように弾力性が高くかつ、体重が掛かっても過度に伸びない厚みがあることが望ましい。このような要求に応じてこの部分に、他の材料２７を付加したり、あるいは、爪先支持部材２６を他の部分と材料を変更したりして構成することもできる。
【００４２】
このような構成のため、足の裏Ｂを足の裏支持部材２にずれないように固定することができる。
＜基板＞
前述のとおり、本発明の基本的な作用は、足の裏Ｂを支持する柔らかい足の裏支持部材２に、それより硬い基板３がしっかりと固定される。
【００４３】
そのため、柔軟な材料から構成された足の裏支持部材２が足の裏を柔軟にしっかりと支持されるとともに、基板３は柔軟な足の裏支持部材２よりも硬い材料から形成されているため、足の裏支持部材２の形状が維持される。
【００４４】
また、踵支持部材４が、連結部５を介して硬い基板３に着脱自在に、かつ強固に連結されるという機能もある。したがって、使用者は、足の裏支持部材２により足の裏を柔らかく受け止められるとともに、足の裏支持部材２の形状が崩れず、かつ、踵部Ｈは、踵支持部材４によりしっかりと支えられた基板３により、安定した歩行ができる。基板３は、このように本発明の重要な機能を果たす構成要素である。
【００４５】
＜実施例９＞
例えば、図８（ａ）に示すように、足の裏支持部材２から基板３に穿設された孔に、きのこ状の頭部を有した突起２８を挿入することで、柔らかい足の裏支持部材２が基板３と強固に固定する。
【００４６】
＜実施例１０＞
また、図８（ｂ）に示すように、柔らかい足の裏支持部材２を、これより硬質な基板３をまとめてクリップ２９などで止め、あるいは縫合などで強固に固定してもよい。いずれにしても、踵支持部材４と基板３とを分離する場合に、足の裏支持部材２と基板３が外れない程度にしっかりと固定する必要がある。
【００４７】
＜実施例１１＞
基板３の形状は、図１（ａ）、（ｂ）、図２（ａ）に示すように、足の裏Ｂのうち、踵部Ｈから踏まず部Ｇにかけて配設され、踏み付け部Ｆには配設されていないような態様である。
【００４８】
図２（ｄ）に示すように、踵部Ｈの高さが変化したり、歩行時や爪先立ちをしたりしたときには、趾骨と中足骨との関節が大きく曲がり、踏み付け部Ｆの部分の足の裏支持部２の変形が大きい。一方、趾部Ｅや、踏まず部Ｇや、踵部Ｈは、比較的変形が小さい。この場合、足の裏支持部材２については、踏み付け部Ｆには、基板３が配設されていないので、足の動きに合わせ柔軟に変形する。
【００４９】
＜実施例１２＞
また、基板３の形状は、図２（ｃ）に示すように、足の裏支持部材２とほぼ同じ形状で、踵部Ｈから踏まず部Ｇのみならず、趾部Ｅ、踏み付け部Ｆまで延びた形状とすることもできる。この実施例では、足の裏支持部材２に沿って踵部Ｈから趾部Ｅまで延びるように設けられるとともに、踏み付け部Ｆが、踵部Ｈより容易に屈曲するように構成されている。
【００５０】
足の裏支持部材２は、踵部Ｈから趾部Ｅまで延びるように設けたため、足の裏Ｂ全体がしっかりとサポートされる。ただし、踏み付け部Ｆは、踵の高さや歩行により変形が大きい部分であるため、踏み付け部Ｆを趾部Ｅや踵部Ｈよりも容易に屈曲するように構成することで、靴Ｓの形状や、踵の高さに柔軟に適合させることができる。
【００５１】
具体的には、図２（ｃ）に示すように、踏み付け部Ｆの基板３の厚みＴ１を、踵部Ｈの厚みＴ２より薄くしたり、切れ込み３１を入れたり、材質を変更することで、踵部Ｈや踏まず部Ｇ、趾部Ｅより容易に屈曲することができるように構成する。
【００５２】
一方で、踵部Ｈなどは、変形が少なく、しっかりと踵からの荷重を支持することができる。また、趾部Ｅも、変形しにくくすることで、趾部Ｅを保護することができる。
＜連結部＞
連結部５は、硬質な基板３と踵支持部材４とを着脱自在に連結する部分である。このため、基板３と踵支持部材４とを自由に選択して、組み合わせることができる。さらに、基板３と踵支持部材４との相対位置を調整するようにするものが望ましい。
【００５３】
柔らかい足の裏支持部材２に直接連結するのではなく、それよりも硬質な基板３に連結することで、柔らかい足の裏支持部材２に、体重を支える踵支持部材４を強固に安定して連結することができる。
【００５４】
＜実施例１３＞
図２（ａ）（ｂ）に示すように基板３には、ねじ穴５１が設けられ、踵支持部材４には、ねじ穴５１と同軸に位置する円柱状の孔５２が設けられる。孔５２は、ねじ穴５１と対向する部分は、ねじ穴５１の内径より若干大きな孔が穿設され、その反対側は、内径が大きい部分が設けられた、段付き状の形状に形成される。ここに、底部側から、ワッシャ５３を介して、十字孔付きの頭部を備えたねじ５４が挿入されて、プラスドライバによりねじ５４の先端がねじ穴５１に螺合される。このため、踵支持部材４は基板３に強固に固定される。
【００５５】
踵支持部材４を外す場合には、プラスドライバによりねじ５４の螺合を外せばよい。このように構成することで、図１（ｂ）に示すように、比較的高い踵支持部材４の高さを、図１（ａ）に示すような靴Ｓに合わせて、高さの低いものと交換することで、インソール１の高さを靴Ｓに合わせて容易に変更することができる。
【００５６】
＜実施例１４＞
図２（ｃ）に示すように、基板３には、連結部５として面ファスナ、例えば株式会社クラレ製「マジックテープ」（登録商標）のループ側５ａを配設して基板３に接着剤などで強固に固定し、対向する踵支持部材４の面には、フック側５ｂを配設して接着剤などで強固に固定する。このように構成することで、踵支持部材４を基板３に対して面ファスナで着脱自在に連結できる。
【００５７】
この場合、基板３の側縁に基板位置マーク５５を設けるとともに、踵支持部材４にも複数の踵支持部材位置マーク５６を設ける。踵支持部材４が標準位置にある場合には、基板位置マーク５５と、踵支持部材位置マーク５６の一つが合致し、また、その前後の踵支持部材位置マーク５６に合わせることにより、容易に左右のインソール１において、踵支持部材４を基板３に対して同じ前後の位置に調整することができる。基板位置マーク５５、踵支持部材位置マーク５６は、相対位置さえ表示できれば、種々のパターンが採用できる。
【００５８】
＜実施例１５＞
連結部５は、対向する基板３と踵支持部材４の面を、相互に粘着するように、一方若しくは双方の表面を感圧粘着剤ＰＳＡや高粘着性の樹脂等で構成したようなものでもよい。この場合も基板位置マーク５５、踵支持部材位置マーク５６を備えることが望ましい。
【００５９】
＜実施例１６＞
この場合、対向する基板３と踵支持部材４の面は、平面でもよいが、図９（ａ）に示す模式図のように、例えば、対向する基板３と踵支持部材４において、嵌合する凸部５７と凹部５８を複数設けたようなものが好ましい。凸部５７は凹部５８に挿入可能に構成される。凸部５７と凹部５８は、前後方向に等間隔で複数形成されている。そのため、嵌合する位置を前後方向のずらすことができる。任意の位置で嵌合させることで、足の裏支持部材２に対する踵支持部材４の位置を調節することができる。使用者が歩行することで、基板３と踵支持部材４との粘着が促進され、外れにくくなる。この場合も基板位置マーク５５、踵支持部材位置マーク５６を備えることが望ましい。
【００６０】
この場合、前後に位置がずれるため、相対的に前後に突出したり、引っ込んだりする場合は、その部分を分割し、若しくは継ぎ足すことで、基板３と踵支持部材４が対応する長さになるように調整することが好ましい。具体的には、図９（ａ）に示す状態において、踵支持部材４に対して基板３を前にずらすと、基板３の先端部分が前方に飛び出す。そこで、分割部３２において基板３を分割することで短くする。分割部３２は、例えば凹凸の嵌合部を備えて着脱可能に構成する。
【００６１】
同様に、図９（ａ）に示す状態において、踵支持部材４に対して基板３を前にずらすと、踵支持部材４の後方が基板３の後端部分から後方に飛び出す。そこで、分割部４２において踵支持部材４を分割することで短くする。分割部４２は、基板３と同様に例えば凹凸の嵌合部を備えて着脱可能に構成する。
【００６２】
このように構成することで、使用者の身長の高低を調節できるとともに、踵支持部材４の形状を靴Ｓの形状に適合させることもできる。なお、図９（ａ）は、模式図であり実施する際には、基板３や踵支持部材４の形状が、足の裏Ｂや靴Ｓに合わせた形状とすることは当然である。
【００６３】
＜実施例１７＞
図９（ｂ）に示すように、実施例１０の凸部５７と凹部５８に替えて、対向する基板３と踵支持部材４の面に対応する水平幅方向に設けられた断面が鋸歯状の溝５９を等間隔に多数設け、相互に嵌め合う位置を前後方向に変更することができる構成でもよい。溝が使用者の左右方向、つまり前後方向と直交する方向に等間隔に多数設けられ、嵌め合いの位置を前後方向に調節することができる。任意の位置で嵌合させることで、足の裏支持部材２に対する踵支持部材４の位置を調節することができる。使用者が歩行することで、基板３と踵支持部材４との粘着が促進され、外れにくくなる。
【００６４】
＜実施例１８＞
また、連結部５は、基板３と踵支持部材４との連結位置を変位可能なスライド機構を備えた構成としてもよい。
【００６５】
図１０（ａ）〜（ｃ）に示すように、例えば、対向する基板３と踵支持部材４において、基板３側にＣチャンネルとなる溝を設けてレール６１を配置する。このレール６１の内部を摺動する一対のナット６２を挿入する。踵支持部材４には、前後方向に配置された一対の円柱状の孔６３が設けられる。孔６３は、ナット６２の内径より若干大きな孔が穿設され、その反対側は、内径が大きい部分が設けられた、段付き状の形状に形成される。ここに、底部側から、ワッシャ６４を介して、十字孔付きの頭部を備えたねじ６５が挿入されて貫通し、プラスドライバによりねじ６５の先端がレール６１内で摺動するナット６２に螺合される。このため、ナット６２はレール６１に圧接され、踵支持部材４は基板３のレール６１に強固に固定され、前後の位置が固定される。
【００６６】
踵支持部材４を移動する場合には、プラスドライバによりねじ５４の螺合を緩めれば、踵支持部材３は、基板３のレール６１に沿って、自在に無段階に移動させることができる。
【００６７】
この場合も基板位置マーク５５、踵支持部材位置マーク５６を備えることが望ましい。
このように構成することで、図１０（ｃ）に示すように、前方向に移動させれば踵支持部材４の高さを比較的高いものとすることができ、後方向に移動させれば踵支持部材４の高さを比較的低いものとすることができる。また、靴Ｓの踵部Ｈの後の形状（図１（ａ）参照）に合わせて前後長に合わせることも可能となる。
【００６８】
＜踵支持部＞
本発明の基板３は、柔軟な足の裏支持部材２よりも硬い材料から形成されているため、足の裏支持部材２の形状が維持される。この状態で、連結部５を介して踵支持部材４が基板３に強固に連結される。したがって、使用者は、足の裏を柔らかく受け止められるとともに、足の裏支持部材２の形態が崩れず、かつ、基板３に強固に連結された踵支持部材４によりしっかりと体重が支えられ、安定した歩行をすることができる。この場合、踵支持部材４は、必ずしも樹脂に限られたものではなく、踵部Ｈを支持するために、合目的的な弾性を有した構成とされることは言うまでもない。
【００６９】
＜実施例１９＞
この実施例のインソール１では、踵支持部材４が、足の裏支持部材２より硬い材料から構成された樹脂からなる。この樹脂は、例えば、アクリル系、ゴム系、シリコーン系、ウレタン系を含む樹脂などが挙げられるが、これらに限定されることはない。
【００７０】
図１１に示すように、内部が中実の樹脂の塊からなり、樹脂自身の弾性で踵を支える。ここでいう「硬い」とは、基本的にヤング率により判断されるが、具体的には例えば、前述したタイプＥの硬さ、若しくはこれに準じた硬さをいい、一般的に足の裏支持部材２より弾性変形しにくいものをいう。
【００７１】
このように構成することで、足の裏Ｂを足の裏支持部材２で柔らかく支持するとともに、踵部Ｈからの荷重を踵支持部材４がしっかりと安定して支持することができ、快適で安定した歩行をすることができる。
【００７２】
＜実施例２０＞
この実施例のインソール１の踵支持部材４は、中空の筒状に形成された弾性体からなる。
【００７３】
図１２に示すように、踵部支持部材４を、弾性を有したポリプロピレンやポリアミドなどの樹脂、さらに、ステンレスや鋼の金属薄板により、踵部Ｈに合わせた断面が概ね三角形状の筒状にしたものが挙げられる。この場合、必ずしも弾性は必要ではないが、踵部Ｈの衝撃を吸収する程度の弾性が好ましい。
【００７４】
このように内部を中空にすることで、軽量な構成とすることができる。さらに、弾性を付与すれば、一定の弾性を保持してクッション性を高め、踵部Ｈへの衝撃を吸収することができる。
【００７５】
＜実施例２１＞
この実施例の踵支持部材４は、板ばねから構成されたことを特徴とする。板ばねによれば、大きな弾性を得られるため、衝撃の大きいスポーツに対応するような弾性を付与することができ、さらに、反発力を利用することも可能である。
【００７６】
具体的には、例えば図１３（ａ）に示すように、側面視Ｖ字型に折り曲げた板ばねとし、一面を基板３に固定し、他の面を接地面とする。このため、軽量でありながら、大きな弾性を得ることができる。
【００７７】
＜実施例２２＞
また、図１３（ｂ）に示すように、コイルばねにより構成したようなものも採用できる。この場合も、大きな弾性力を得ることができるが、コイルばねの変形を案内するような案内部材４１を備えることが好ましい。例えば、伸縮性のある樹脂により筒状の部材を設けて、コイルばねが横ずれしないように、上下方向のみに動くように規制する。
【００７８】
＜実施例２３＞
この実施例では、踵支持部材４は、気体・液体・ゾル等を封入した袋から構成されている。
【００７９】
図１４に示すように、踵支持部材４は、空気などの気体、または、液体若しくはゾルを袋に封入することで、弾力性を付与する。気体の場合は、それ自体でクッション性を付与できる。液体も若しくはゾルの場合は、袋を弾性体とすることでクッション性を高めることが望ましい。
【００８０】
このように構成することで、踵支持部材４に弾性力を付与することができ、負荷の大きな歩行や跳躍時のショックを吸収することができる。
特に、空気などの気体では、大きな弾性力を付与することができるとともに、極めて軽量なものとすることができる。
【００８１】
＜カバー＞
本発明のインソール１では、基本的に靴Ｓの内部に配置されるものであるが、踵支持部材４の位置を安定させるカバー７を備えることも好ましい。
【００８２】
＜実施例２４＞
この実施例のカバー７では、図１５（ａ）に示すように、靴下、薄手のシリコーン樹脂などで踵支持部材４及び足の裏支持部材２を使用者の足と一体化するようなものが挙げられる。カバー７は、必ずしも専用のものでなくてもよいが、素足と比較して、足の甲Ｃが高くなるため、十分な容量を有し、かつ位置ずれを抑制し、さらに履きやすくするような弾性が要求されるため、専用のものが望まれる。このような要求に応えるため、面ファスナなどで開閉可能に構成することも好ましい。
【００８３】
特に、インソール１を肌の色に近い色で製作するとともに、ストッキングと同様な素材でカバー７を製作することで、靴を履いてないときでも、外見的には自分の足と同化して目立たなくなる。
【００８４】
この場合、例えばカバー７は、脚部まで連続するものとし、一方、踵支持部材４の下側のカバー７の下部に開口部（図示略）を設けて、この開口部からインソール１の着脱を可能とするとともに、装着後はこの開口部がインソール１の下方において見えないようにする。このように構成すれば、装着時は、素足に普通のストッキングを着用しているように見え、シルエットを除けば、通常の足と区別がつかない。
【００８５】
このように構成することで、靴Ｓを履かなくても、踵支持部材４が安定する。また、外見的に目立たないようにすることもでき、使用者の心理的負担を小さくすることができる。また、靴を脱いでの歩行なども安定する。特に大きな脚長不等を有する場合でも、室内を靴Ｓなしで、目立たない外観で、より安定して歩行することができる。
【００８６】
＜実施例２５＞
なお、図１５（ｂ）に示すように、爪先Ｄ部分や、踵部Ｈなどが露出するような形状としてもよい。
【００８７】
このように構成することで、爪先Ｄが露出するサンダルのような靴Ｓを履いた場合でも、インソール１が目立たない。また、開放された部分が大きく、通気性のない樹脂で構成したような場合でも足Ａが蒸れにくくなっている。さらに、容易に着脱が可能となる。
【００８８】
＜本実施形態の作用＞
〇本実施形態のインソール１では、足の裏Ｂに配置される足の裏支持部材２と、この足の裏支持部材２より硬い材料により形成され足の裏支持部材２の踵部Ｈ下部に固定された基板３とを有する。また、この基板３の下部に配置される踵支持部材４と、基板３と踵支持部材４とを着脱可能に固定する連結部とを備える。このため、足の裏Ｂは、比較的柔らかい足の裏支持部材２によりしっかりと密着するように支持される。一方、足の裏支持部材２の下面は、足の裏支持部材２よりも硬い基板３が配置されるため、柔らかい足の裏支持部材２の形状を保持することができる。
【００８９】
〇この足の裏支持部材２は、粘着性を有する構成とすることで、足の裏Ｂが固定され、使用時に足の裏Ｂから足の裏支持部材２がずれることを抑制することができる。
〇また、足の裏支持部材２は、足の裏Ｂから足の裏支持部材２がずれることを抑制する立上部２１、趾支持部材２２、趾間支持部材２３、足の甲支持部材２４、足首支持部材２５、爪先支持部材２６を備えることができ、左右の身体的な条件、徒歩やスポーツなどの目的、靴Ｓの寸法などに合わせて選択することができる。
【００９０】
〇踵支持部材４も、体重や左右の身体的な条件、徒歩やスポーツなどの目的、靴Ｓの寸法などに合わせて、高さや材料など最適なものを選択して交換することができる。
〇さらに、足の裏支持部材２の下面は、足の裏支持部材２よりも硬い基板３が配置されるため、踵部Ｈの体重を支える踵支持部材４を硬い基板３を介して柔らかい足の裏支持部材２と連結部５により連結するため、柔らかい足の裏支持部材２であっても、しっかりと踵支持部材４と連結することができる。
【００９１】
〇さらに、連結部５は、着脱自在に構成されているため、多様な足の裏支持部材２とか踵支持部材４との組み合わせが可能となっており、左右の身体的な条件、徒歩やスポーツなどの目的、靴の寸法などに合わせて、左右それぞれを自由に組み合わせることができる。
【００９２】
〇なお、連結部５は、前後にスライドさせたり、任意な位置に変位させたりするような構成とすることもできる。
＜本実施形態の効果＞
以上のような構成から、本実施形態のインソール１では、容易に使用者個人に合わせた構成とすることができるという効果がある。
【符号の説明】
【００９３】
Ａ…足、Ｂ…足の裏、Ｃ…足の甲、Ｄ…爪先、Ｅ…趾部、Ｆ…踏み付け部、Ｇ…踏まず部、Ｈ…踵部、Ｉ…足首、Ｓ…靴、ＰＳＡ…感圧粘着剤（Ｐｒｅｓｓｕｒｅ  Ｓｅｎｓｉｔｉｖｅ  Ａｄｈｅｓｉｖｅ）、１…インソール、２…足の裏支持部材、３…基板、４…踵支持部材、５…連結部、７…カバー、２１…立上部、２２…趾支持部材、２３…趾間支持部材、２４…足の甲支持部材、２５…足首支持部材、２６…爪先支持部材、３１…切れ込み、５１…ねじ穴、５２…孔、５４…ねじ、５５…基板位置マーク、５６…踵支持部材位置マーク、５７…凸部、５８…凹部、５９…（鋸歯状の）溝、６０…スライド機構、６１…レール、６２…ナット、６３…孔。
【図１】
2020130865.tif 000003
【図２】
2020130865.tif 000004
【図３】
2020130865.tif 000005
【図４】
2020130865.tif 000006
【図５】
2020130865.tif 000007
【図６】
2020130865.tif 000008
【図７】
2020130865.tif 000009
【図８】
2020130865.tif 000010
【図９】
2020130865.tif 000011
【図１０】
2020130865.tif 000012
【図１１】
2020130865.tif 000013
【図１２】
2020130865.tif 000014
【図１３】
2020130865.tif 000015
【図１４】
2020130865.tif 000016
【図１５】
2020130865.tif 000017